(57)【特許請求の範囲】
【請求項１】
電線表面全体で、かつ電線の長手方向に亘って独立した粒状の小突起が間隔をおきながら連続して多数形成されていると共に、その小突起の一部の複数が他の突起よりも大きく形成され、かつその複数の独立した粒状の大突起が上記電線を軸として電線の長手方向に間隔をおきながら連続して螺旋状に上記小突起の間に配列されていることを特徴とする低風音・低風圧配電線。
【請求項２】
電線を覆う被覆層の表面全体で、かつ電線の長手方向に亘って独立した粒状の小突起が間隔をおきながら連続して多数形成されていると共に、その小突起の一部の複数が他の突起よりも大きく形成され、かつその複数の独立した粒状の大突起が上記電線を軸として電線の長手方向に間隔をおきながら連続して螺旋状に上記小突起の間に配列されていることを特徴とする低風音・低風圧配電線。
【請求項３】
上記小突起および大突起の形状が、半球状、円柱状、立方体状、円錐状、角錐状、キノコ状のいずれかであることを特徴とする請求項１または２に記載の低風音・低風圧配電線。
【請求項４】
上記電線が、単線又は撚り線からなることを特徴とする請求項１〜３のいずれかに記載の低風音・低風圧配電線。
【請求項５】
上記小突起および大突起が上記電線と同じ材質から形成されていることを特徴とする請求項１に記載の低風音・低風圧配電線。
【請求項６】
上記小突起および大突起が上記被覆層と同じ材質から形成されていることを特徴とする請求項２に記載の低風音・低風圧配電線。
【発明の詳細な説明】
【０００１】
【発明の属する技術分野】
本発明は、屋外等に配線される配電線に係り、特に強風に晒されたときに生ずる風音及び風圧を低減させることを目的として形成された低風音・低風圧配電線に関するものである。
【０００２】
【従来の技術】
一般に、屋外等に架線される配電線に対して台風等による強風が作用すると、風音による不快な騒音が発生して地域住民の苦情の対象となり、また、最悪の場合には風圧荷重による電柱の倒壊や断線等といった多大な被害をもたらす場合がある。
【０００３】
この不快な電線風音は、その配電線に風が当たるとその風下に規則的なカルマン渦が発生し、そのカルマン渦の振動音が発生源であるといわれている。
【０００４】
一方、配電線の風圧荷重は、ＦＸ＝１／２ρＶ2 Ａ×ＣＤという式を用いて求められることが知られている。ここで、ＦＸは風圧荷重値、ρは空気密度、Ｖは風速、Ａは電線の断面高さ、ＣＤは抗力係数である。
【０００５】
そのため、これら各パラメータのうち、いずれかを小さくすれば風圧荷重を小さくすることが可能となるが、Ａは送電容量等の点で限界があるため、主にＣＤ値を小さくするための対策が講じられている。
【０００６】
このＣＤ値を小さくするための従来方法としては、例えば、図６に示すように電線ａの表面に多数の溝ｂ，ｂ…を設けることによって電線ａの周囲の風を乱流化させて電線ａの風圧荷重を低減させる方法が一般的である。
【０００７】
【発明が解決しようとする課題】
しかしながら、このように電線ａの表面に多数の溝ｂ，ｂ…を設ける方法では、その溝ｂ，ｂ…内に雨滴や埃が浸入・堆積して電線の表面が面一化してしまい、初期の乱流効果が発揮できなくなってしまうといった欠点がある。
【０００８】
一方、風音による騒音は、電線の表面に多数の窪み等を設けることによって低減できることが知られているが、このような方法でも特に不快な低周波域（約１００〜２５０Ｈｚ）の風音を効果的に抑制することは困難であった。
【０００９】
そこで、本発明はこのような課題を有効に解決するために案出されたものであり、その目的は不快な電線風音と多大な被害をもたらす電線風圧を大幅に低減することができる新規な低風音・低風圧配電線を提供するものである。
【００１０】
【課題を解決するための手段】
上記課題を解決するために本発明は、裸電線からなる配電線にあってはその電線表面全体で、かつ電線の長手方向に亘って、また被覆層を備えた配電線にあってはその被覆層表面全体で、かつ電線の長手方向に亘って独立した粒状の小突起を間隔をおきながら連続して多数形成すると共に、その小突起の一部の複数が他の突起よりも大きく形成し、かつその複数の独立した粒状の大突起を上記電線を軸として電線の長手方向に間隔をおきながら連続して螺旋状に上記小突起の間に配列したものである。
【００１１】
すなわち、電線表面全体又は被覆層表面全体で、かつ電線の長手方向に亘って多数の独立した粒状の小突起と複数の独立した粒状の大突起とを間隔をおきながら連続して形成することによって従来の溝と同様に周囲の風を乱流化させて抗力係数（ＣＤ値）を小さくすることが可能となり、風圧荷重を効果的に低減させることができる。しかも、従来の溝とは異なり、独立した粒状の小突起および大突起を採用することにより、その表面に雨滴や埃等が付着・堆積するのを抑制することが可能となり、長期に亘ってその効果を維持することができる。
【００１２】
また、粒状の突起の一部を他の突起（小突起）よりも大きく形成して大突起とし、かつその大突起を上記電線を軸として電線の長手方向に間隔をおきながら連続して螺旋状に上記小突起の間に配列することによって、電線の風下にカルマン渦が規則的に発生することを防ぐことができるため、高中周波数域の風音は勿論、特に不快な低周波数域の風音を大幅に低減することができる。
【００１３】
【発明の実施の形態】
次に、本発明を実施する好適一形態を添付図面を参照しながら説明する。
【００１４】
図１及び図２は本発明に係る低風音・低風圧配電線１の実施の一形態を示したものである。
【００１５】
図示するように、この低風音・低風圧配電線１は、単線又は撚り線からなる電線（導体）２の周囲に、絶縁体からなる被覆層３が被覆形成されており、また、その被覆層３の表面全体には、この被覆層３と同じ材質からなる半球状で独立した粒状の突起４（後述する小突起と大突起４ａからなる）がその表面全体で、かつ電線の長手方向に亘って多数、すなわち、被覆層１ｃｍ２当たり１０個〜５００個の割合で均一に形成されている。
【００１６】
また、独立した粒状の突起４の一部を他の突起４（小突起）よりも大きく形成して大突起とし、かつこの複数の大突起４ａは電線２を軸とした被覆層３の表面に電線２の長手方向に間隔をおきながら連続して小突起（他の突起４）の間に螺旋状に配列された構造となっている。
【００１７】
そして、このような構造をした本発明の低風音・低風圧配電線１にあっては、先ず、被覆層３の表面に形成された多数の独立した粒状の突起４（小突起（他の突起４）、大突起４ａ），４（小突起（他の突起４）、大突起４ａ）…によって周囲の風を乱流化させることができるため、抗力係数（ＣＤ値）を小さくすることが可能となる。
【００１８】
例えば、図３に示すように、被覆層３の表面に本発明のような対策を全く施さない表面面一の無対策電線と、電線表面に多数の粒状突起４を設けた本発明に係る対策電線のＣＤ値を比較した場合、無対策電線のＣＤ値が１．２であるのに対し、本発明に係る対策電線にあっては、そのＣＤ値を最大で０．９以下まで低減することが可能となる。しかも、このＣＤ値低減効果は、図示するように粒状突起の数（密度）によっても大きく異なることが判明したことから、本発明においては、この粒状突起の数を最も顕著に効果が現れる範囲、すなわち１ｃｍ2 当たり１０個〜５００個の範囲とした。
【００１９】
これによって、風圧荷重（ＦＫ）を容易・確実に低減させることができるため、電柱の倒壊や断線といった事故を未然に防ぐことができる。
【００２０】
また、粒状の突起４（小突起（他の突起４）、大突起４ａ）を採用することにより、従来の溝を採用した場合と異なり、その表面に雨滴や埃等が付着・堆積し難くなるため、長期に亘ってその効果を発揮することが可能となる。
【００２１】
次に、本発明はその独立した粒状の突起４の一部を他の突起４（小突起）よりも大きく形成して大突起４ａとし、かつその複数の大突起４ａを、電線２を軸とした被覆層３の表面に電線２の長手方向に間隔をおきながら連続して小突起（他の突起４）の間に螺旋状に配列するようにしたことから、配電線１の風下に発生するカルマン渦が不規則となり、これによって高中周波数域の風音は勿論、特に不快度の大きい低周波数域の風音を大幅に低減することができる。
【００２２】
例えば、図４に示すように、螺旋状の大突起４ａを設けない無対策電線の風音（ｄＢ（Ａ））と、螺旋状の大突起４ａを設けた本発明に係る対策電線の風音を比較した場合、約２．５ｋ以上の高周波領域では、その風音量は両電線ともに大差ないが、約２．５ｋ以下の中、低周波領域にあっては、本発明に係る対策電線は、無対策電線に比較して大幅に風音が低減されることが分かった。そして、特に約１００〜２５０ｋＨの低周波領域にあっては、無対策電線の風音が最大で５５ｄＢ（Ａ）を超えたのに対し、本発明に係る対策電線の風音は最大でも４０ｄＢ（Ａ）以下であり、顕著な風音低減効果がみられた。
【００２３】
これによって、不快な風音の発生が抑制され、地域住民に与える騒音や悪影響を軽減することが可能となる。
【００２４】
尚、本実施の形態では、独立した粒状の突起４（他の突起４（小突起））及び独立した大突起４ａとして半球状のものを採用した例で説明したが、これの形状は半球状のものに限定されるものでなく、他の形状、例えば、図５に示すように、円柱状、立方体状、円錐状、角錐状、キノコ状等のいずれかあるいは２種類以上組み合わせたものであっても上記と同様な作用効果を発揮することができる。
【００２５】
また、本実施の形態では、被覆層３の表面に独立した粒状突起４（他の突起４（小突起））及び大突起４ａを設けた例で説明したが、裸電線、すなわち、被覆層３を有しない架空送電線等にあっては、その電線の表面に直接独立した粒状の突起４（他の突起４（小突起））及び大突起４ａを設けるようにしても良い。
【００２６】
【発明の効果】
以上要するに本発明によれば、電線表面全体で、かつ電線の長手方向に亘って独立した多数の粒状突起を形成すると共に、その粒状突起の一部を他の突起（小突起）よりも大きく形成して複数の独立した粒状の大突起とし、これを電線の周囲に電線を軸として電線の長手方向に間隔をおきながら連続して螺旋状に小突起の間に配列したため、強風時に発生する不快な風音や風圧を大幅に低減することが可能となる。これによって、風音による騒音が低減されて地域住民への悪影響が軽減されると共に、電柱の倒壊や断線による停電等といった多大な被害を未然に防止することができる。
【図面の簡単な説明】
【図１】本発明に係る低風音・低風圧配電線に係る実施の一形態を示す側面図である。
【図２】図１中Ａ−Ａ線拡大断面図である。
【図３】本発明に係る低風音・低風圧配電線及び従来の配電線のＣＤ値測定結果を示すグラフ図である。
【図４】本発明に係る低風音・低風圧配電線及び従来の配電線の風音測定結果を示すグラフ図である。
【図５】本発明に係る低風音・低風圧配電線の他の実施の形態を示す部分拡大図である。
【図６】従来の低風音・低風圧配電線の一例を示す拡大斜視図である。
【符号の説明】
１  低風音・低風圧配電線
２  電線
３  被覆層
４  粒状突起
4a  大突起
【図１】
0004095242.tif 000002
【図２】
0004095242.tif 000003
【図３】
0004095242.tif 000004
【図４】
0004095242.tif 000005
【図５】
0004095242.tif 000006
【図６】
0004095242.tif 000007